(57)【要約】      （修正有）【課題】利用者にサービスが適用されているかを通知する運賃提供サーバ、自動改札機、券売機、精算機、及び、運賃検索システムを提供する。【解決手段】運賃提供サーバ３は、通信部、第１受信処理部、第１送信処理部、第２受信処理部、生成部と第２送信処理部を備える。通信部は外部装置と通信する。第１受信処理部は、運賃情報要求装置から、カードを識別する識別子に対応する運賃情報を要求する運賃リクエストを受信する。第１送信処理部は、利用履歴を格納するデータベース端末２へ、受信した識別子に対応する利用履歴を要求する履歴リクエストを送信する。第２受信処理部は、データベース端末から、識別子に対応する利用履歴を受信する。生成部は、受信した利用履歴に基づいて、サービスが適用されるかを示す運賃情報を生成する。第２送信処理部は、生成部が生成した運賃情報を、運賃情報要求装置へ送信する。【選択図】図１
2016057711.tif 000002
【特許請求の範囲】
【請求項１】
外部装置と通信する通信部と、
前記通信部を通じて、運賃情報要求装置から、カードを識別する識別子に対応する運賃情報を要求する運賃リクエストを受信する第１受信処理部と、
前記通信部を通じて、利用履歴を格納するデータベース端末へ、前記第１受信処理部が受信した前記識別子に対応する利用履歴を要求する履歴リクエストを送信する第１送信処理部と、
前記通信部を通じて、前記データベース端末から、前記識別子に対応する前記利用履歴を受信する第２受信処理部と、
前記第２受信処理部が受信した前記利用履歴に基づいて、サービスが適用されるかを示す運賃情報を生成する生成部と、
前記通信部を通じて、前記生成部が生成した前記運賃情報を、前記運賃情報要求装置へ送信する第２送信処理部と、
を備える運賃提供サーバ。
【請求項２】
前記カードは、ポストペイカードである、
前記請求項１に記載の運賃提供サーバ。
【請求項３】
前記運賃情報は、将来の乗車に対してサービスが適用されるかを示す、
前記請求項１又は２に記載の運賃提供サーバ。
【請求項４】
外部装置と通信する通信部と、
カードから識別子を取得する取得部と、
前記通信部を通じて、前記取得部が取得する前記識別子に対応する運賃情報を要求するリクエストを送信する送信処理部と、
前記通信部を通じて、前記運賃情報を受信する受信処理部と、
前記受信処理部が受信した前記運賃情報を表示する表示部と、
前記カードの利用者の通行の可否を判定する判定部と、
を備える自動改札機。
【請求項５】
外部装置と通信する通信部と、
カードから識別子を取得する取得部と、
前記通信部を通じて、前記取得部が取得する前記識別子に対応する運賃情報を要求するリクエストを送信する送信処理部と、
前記通信部を通じて、前記運賃情報を受信する受信処理部と、
前記受信処理部が受信した前記運賃情報を表示する表示部と、
前記カードを用いて発券処理を行う発券部と、
を備える発券機。
【請求項６】
外部装置と通信する通信部と、
カードから識別子を取得する取得部と、
前記通信部を通じて、前記取得部が取得する前記識別子に対応する運賃情報を要求するリクエストを送信する送信処理部と、
前記通信部を通じて、前記運賃情報を受信する受信処理部と、
前記受信処理部が受信した前記運賃情報を表示する表示部と、
前記カードを用いて精算処理を行う精算部と、
を備える精算機。
【請求項７】
データベース端末と運賃提供サーバとを備える運賃提供システムであって、
前記データベース端末は、
前記運賃提供サーバと通信する第１通信部と、
利用履歴を格納する記憶部と、
前記第１通信部を通じて、カードの識別子に対応する利用履歴を要求する履歴リクエストを受信する第１受信処理部と、
前記識別子に対応する前記利用履歴を前記記憶部から検索する検索部と、
前記第１通信部を通じて、前記第１受信処理部が受信した前記履歴リクエストに従って、前記検索部が検索した利用履歴を前記運賃提供サーバへ送信する第１送信処理部と、
を備え、
前記運賃提供サーバは、
外部装置と通信する第２通信部と、
前記第２通信部を通じて、運賃情報要求装置から、カードを識別する識別子に対応する運賃情報を要求する運賃リクエストを受信する第２受信処理部と、
前記第２通信部を通じて、前記データベース端末へ、前記第２受信処理部が受信した前記識別子に対応する利用履歴を要求する履歴リクエストを送信する第２送信処理部と、
前記第２通信部を通じて、前記データベース端末から、前記識別子に対応する前記利用履歴を受信する第３受信処理部と、
前記第３受信処理部が受信した前記利用履歴に基づいて、サービスが適用されるかを示す運賃情報を生成する生成部と、
前記第２通信部を通じて、前記生成部が生成した前記運賃情報を、前記運賃情報要求装置へ送信する第３送信処理部と、
を備える、
運賃提供システム。
【発明の詳細な説明】
【技術分野】
【０００１】
本発明の実施形態は、運賃提供サーバ、自動改札機、券売機、精算機、及び、運賃検索システムに関する。
【背景技術】
【０００２】
電車などの運賃を支払うためにポストペイカードが利用される。事業者には、ポストペイカードの利用履歴から、利用者に対して運賃の割引などのサービスを提供するものがある。従来、利用者は、ポストペイカードの支払い履歴などを参照しなければ、サービスが適用されたかを知ることができないという課題がある。
【先行技術文献】
【特許文献】
【０００３】
【特許文献１】特開平９−１１５０１７号公報
【発明の概要】
【発明が解決しようとする課題】
【０００４】
上記の課題を解決するために、利用者にサービスが適用されているかを通知する運賃提供サーバ、自動改札機、券売機、精算機、及び、運賃検索システムを提供する。
【課題を解決するための手段】
【０００５】
実施形態によれば、運賃提供サーバは、通信部と、第１受信処理部と、第１送信処理部と、第２受信処理部と、生成部と、第２送信処理部と、を備える。通信部は、外部装置と通信する。第１受信処理部は、前記通信部を通じて、運賃情報要求装置から、カードを識別する識別子に対応する運賃情報を要求する運賃リクエストを受信する。第１送信処理部は、前記通信部を通じて、利用履歴を格納するデータベース端末へ、前記第１受信処理部が受信した前記識別子に対応する利用履歴を要求する履歴リクエストを送信する。第２受信処理部は、前記通信部を通じて、前記データベース端末から、前記識別子に対応する前記利用履歴を受信する。生成部は、前記第２受信処理部が受信した前記利用履歴に基づいて、サービスが適用されるかを示す運賃情報を生成する。第２送信処理部は、前記通信部を通じて、前記生成部が生成した前記運賃情報を、前記運賃情報要求装置へ送信する。
【図面の簡単な説明】
【０００６】
【図１】図１は、実施形態に係る運賃提供システムの構成例を示すブロック図である。
【図２】図２は、実施形態に係る駅務機器の構成例を示すブロック図である。
【図３】図３は、実施形態に係るデータベース端末の構成例を示すブロック図である。
【図４】図４は、実施形態に係るデータベース端末が格納する利用履歴の構成例を示す図である。
【図５】図５は、実施形態に係る運賃提供サーバの構成例を示すブロック図である。
【図６】図６は、実施形態に係る自動改札機の構成例を示すブロック図である。
【図７】図７は、実施形態に係る発券機の構成例を示すブロック図である。
【図８】図８は、実施形態に係る精算機の構成例を示すブロック図である。
【図９】図９は、実施形態に係る利用者端末の構成例を示すブロック図である。
【図１０】図１０は、実施形態に係る運賃提供サーバの動作例を示すフローチャートである。
【図１１】図１１は、実施形態に係る自動改札機の動作例を示すフローチャートである。
【図１２】図１２は、実施形態に係る発券機の動作例を示すフローチャートである。
【図１３】図１３は、実施形態に係る精算機の動作例を示すフローチャートである。
【図１４】図１４は、実施形態に係る利用者端末の動作例を示すフローチャートである。
【発明を実施するための形態】
【０００７】
以下、図面を参照しながら実施形態について説明する。  
実施形態に係る運賃提供システムは、電車などの運賃に関する運賃情報を利用者に提供する。
【０００８】
図１は、運賃提供システム１の構成例を示すブロック図である。
【０００９】
図１が示すように、運賃提供システム１は、データベース端末２、運賃提供サーバ３，監視盤４、自動改札機５、券売機６、精算機７、利用者端末８、及び、ポストペイカード９などを備える。
【００１０】
データベース端末２は、利用者の利用履歴を格納する。データベース端末２は、各駅に設置される自動改札機５、券売機６又は精算機７などから、一件明細情報を受信し、受信された一件明細情報を利用履歴として格納する。また、データベース端末２は、運賃提供サーバ３からのリクエストに応じて、各利用者の利用履歴を運賃提供サーバ３へ送信する。
【００１１】
運賃提供サーバ３は、自動改札機５、券売機６、精算機７、及び、利用者端末８に運賃情報を提供する。運賃情報については、後述する。  
運賃提供サーバ３は、利用履歴照会システム１１と、運賃検索システム１２とを備える。
【００１２】
利用履歴照会システム１１は、データベース端末２から、ポストペイカード９に対応する利用履歴を照会する。即ち、利用履歴照会システム１１は、データベース端末２へポストペイカード９のＩＤｉを送信する。ＩＤｉ（識別子）は、ポストペイカード９に固有に割り振られた識別ＩＤである。利用履歴照会システム１１は、データベース端末２からポストペイカード９に対応する利用履歴を受信する。
【００１３】
運賃検索システム１２は、利用履歴に基づいて運賃情報を生成する。運賃情報は、利用者に適用されるサービスを示す情報である。たとえば、運賃情報は、サービスが適用される乗車記録を示す。たとえば、運賃情報は、直前の乗車記録に所定のサービスが適用されるかを示す。また、たとえば、運賃情報は、将来の乗車に対してサービスが適用されるかを示す。たとえば、運賃情報は、今後何回乗車すればサービスが適用されるか、いずれの区間に乗車すればサービスが適用されるか、又は、いずれの時期に乗車すればサービスが適用されるかを示す。サービスが適用される条件は、たとえば、乗車回数、乗車時期、又は、乗車区間などである。サービスは、割引、ポイントの付与、又は、物品の提供などである。サービスの内容及び条件は、特定の構成に限定されるものではない。
【００１４】
監視盤４は、自動改札機５、券売機６及び精算機７を管理する。たとえば、監視盤４は、自動改札機５、券売機６及び精算機７などの各駅務機器における処理データを集計したり、各駅務機器の動作状況を管理する。また、監視盤４は、集計された処理データ、又は、各駅務機器の動作状況をデータベース端末２へ送信する。監視盤４は、自動改札機５から磁気券の利用状況を示す情報を受信し、当該情報をデータベース端末２へ送信する。監視盤４は、たとえば、各駅に設置される。
【００１５】
自動改札機５は、駅の改札口などに設置され、利用者が所持する乗車券、定期券又は、ポストペイカード９に記録されている内容に基づいて、改札口での利用者に対する改札処理を行うものである。例えば、自動改札機５は、利用者が所持しているポストペイカード９に記録されている決済情報などに基づいて当該利用者に対する入場あるいは出場の許可不許可を判定することにより入出場処理を実行する。また、自動改札機５は、改札処理に関する一件明細情報を生成し、生成された一件明細情報をデータベース端末２へ送信する。一件明細情報は、ポストペイカード９を識別するＩＤｉ、駅、改札口、利用日時、及び、入場／出場などから構成される。一件明細情報については後に詳述する。
【００１６】
券売機６は、利用者の操作によって乗車券などの各種の券を発行する装置である。券売機６は、ポストペイカード９を用いて、乗車券などの各種の券を発行することができる。また、券売機６は、ポストペイカード９からＩＤｉを取得する。券売機６は、ポストペイカード９のＩＤｉを運賃提供サーバ３へ送信し、運賃情報を取得する。券売機６は、取得された運賃情報を利用者に提供する。
【００１７】
精算機７は、利用者の操作によって乗車料金の精算処理などを行う装置である。精算機７は、ポストペイカード９を用いて、乗車料金の精算処理を行うことができる。また、精算機７は、ポストペイカード９からＩＤｉを取得する。精算機７は、ポストペイカード９のＩＤｉを運賃提供サーバ３へ送信し、運賃情報を取得する。精算機７は、取得された運賃情報を利用者に提供する。
【００１８】
利用者端末８は、ポストペイカード９の利用者が所持する端末である。利用者端末８は、利用者からポストペイカード９のＩＤｉの入力を受け付ける。利用者端末８は、ポストペイカード９のＩＤｉを運賃提供サーバ３へ送信し、運賃情報を取得する。利用者端末８は、取得された運賃情報を利用者に表示する。
【００１９】
ポストペイカード９は、乗車料金を事後的に決済するためのカードである。ポストペイカード９は、決済情報などを格納する。決済情報は、乗車料金を決済するための情報である。たとえば、決済情報は、クレジットカード情報などを対応付けられている。ポストペイカード９を利用すると、利用者は、クレジットカード会社などを通じて料金を決済する。
【００２０】
ポストペイカード９は、たとえば、非接触式の無線通信機能を有する無線式のＩＣカード（非接触式ＩＣカード）であるものとする。この場合、カードリーダライタ５６は、利用者が所定の通信位置（読取位置）にかざされたＩＣカード（非接触式ＩＣカード）に対して読取あるいは書き込みコマンドを無線通信により送信することによりＩＣカードからの情報の読取及び書込みを行う。なお、ポストペイカード９は、携帯電話機などの携帯端末に設けられた機能として実現されるものであっても良い。
【００２１】
ポストペイカード９は、ＩＤｉを格納する。また、ポストペイカード９は、外部装置に対してＩＤｉを提供する機能を有する。たとえば、ポストペイカード９は、ＩＤｉを要求するコマンドに応じて、ＩＤｉを含むレスポンスを送信する。
【００２２】
次に、各駅に設置される駅務機器の構成例について説明する。  
図２は、各駅に設置される駅務機器の構成例を示す。  
図２が示すように、各駅には、監視盤４、自動改札機５ａ乃至５ｎ、券売機６ａ乃至６ｎ、及び、精算機７ａ乃至７ｎなどが設置される。
【００２３】
監視盤４は、各自動改札機５、各券売機６、及び、各精算機７と電気的に接続する。
【００２４】
自動改札機５は、複数の改札口にそれぞれ配置されてもよい。自動改札機５の個数、及び、各改札口に設置される個数は、特定の構成に限定されるものではない。
【００２５】
券売機６は、改札口の外側に設置される。また特急券などを販売する券売機６は、駅のホームなどに設置されてもよい。券売機６は、複数の改札口にそれぞれ配置されてもよい。券売機６の個数、及び、各改札口に設置される個数は、特定の構成に限定されるものではない。
【００２６】
精算機７は、改札口の内側に設置される。精算機７は、複数の改札口にそれぞれ配置されてもよい。精算機７の個数、及び、各改札口に設置される個数は、特定の構成に限定されるものではない。
【００２７】
次に、データベース端末２について説明する。  
データベース端末２は、監視盤４の上位装置である。  
図３は、データベース端末２の構成例を示す。  
図３が示すように、データベース端末２は、ＣＰＵ２１、ＲＯＭ２２、ＲＡＭ２３、ＮＶＭ２４及び通信部２５などを備える。
【００２８】
ＣＰＵ２１は、データベース端末２全体の動作を制御する機能を有する。ＣＰＵ２１は、内部キャッシュおよび各種のインターフェースなどを備えても良い。ＣＰＵ２１は、内部メモリ、ＲＯＭ２２あるいはＮＶＭ２４に予め記憶したプログラムを実行することにより種々の処理を実現する。
【００２９】
なお、ＣＰＵ２１がプログラムを実行することにより実現する各種の機能のうちの一部は、ハードウエア回路により実現されるものであっても良い。この場合、ＣＰＵ２１は、ハードウエア回路により実行される機能を制御する。
【００３０】
ＲＯＭ２２は、予め制御用のプログラム及び制御データなどが記憶された不揮発性のメモリである。ＲＯＭ２２に記憶される制御プログラム及び制御データは、予めデータベース端末２の仕様に応じて組み込まれる。ＲＯＭ２２は、たとえば、データベース端末２の回路基板を制御するプログラム（例えば、ＢＩＯＳ）などを格納している。
【００３１】
ＲＡＭ２３は、揮発性のメモリである。ＲＡＭ２３は、ＣＰＵ２１の処理中のデータなどを一時的に格納する。ＲＡＭ２３は、ＣＰＵ２１からの命令に基づき種々のアプリケーションプログラムを格納している。また、ＲＡＭ２３は、アプリケーションプログラムの実行に必要なデータ及びアプリケーションプログラムの実行結果などを格納してもよい。
【００３２】
ＮＶＭ２４は、データの書き込み及び書き換えが可能な不揮発性のメモリである。ＮＶＭ２４は、例えば、ハードディスク、ＳＳＤ、ＥＥＰＲＯＭ又はフラッシュメモリなどにより構成される。ＮＶＭ２４は、データベース端末２の運用用途に応じて制御プログラム、アプリケーション、及び種々のデータを格納する。
【００３３】
ＮＶＭ２４は、利用履歴を格納する記憶領域２４ａ（記憶部）を格納する。利用履歴については後述する。
【００３４】
通信部２５（請求項７の第１通信部に対応）は、運賃提供サーバ３及び監視盤４と通信するためのインターフェースである。通信部２５は、インターネットなどの外部ネットワークを通じて運賃提供サーバ３及び監視盤４と通信するインターフェースであってもよい。また、通信部２５は、運賃提供システム１の独自のネットワークを通じて運賃提供サーバ３及び監視盤４と通信するインターフェースであってもよい。また、通信部２５は、運賃提供サーバ３と通信するためのインターフェースと、監視盤４と通信するためのインターフェースとを備えてもよい。
【００３５】
次に、利用履歴について説明する。  
図４は、データベース端末２のＮＶＭ２４の記憶領域２４ａが格納する利用履歴の例を示す。  
利用履歴は、複数の一件明細情報から構成される。  
図４が示す表の各行は、一件明細情報を示す。一件明細情報は、ポストペイカード９の一回の使用明細を示す。
【００３６】
図４が示すように、一件明細情報は、ＩＤｉ、駅、改札口、日時、及び、入場／出場などから構成される。
【００３７】
ＩＤｉは、前述の通り、ポストペイカード９に固有に割り振られる識別コードである。たとえば、ＩＤｉは、数値、文字列、又は、両者の組み合わせなどである。
【００３８】
駅は、ポストペイカード９が利用された駅を示す。
【００３９】
改札口は、ポストペイカード９が利用された改札口を示す。即ち、一件明細情報は、ポストペイカード９が当該改札口にある自動改札機５で利用されたことを示す。
【００４０】
日時は、ポストペイカード９が利用された日時を示す。図４が示す例では、日時は、日付である。なお、日時は、ポストペイカード９が利用された時刻を示してもよい。
【００４１】
入場／出場は、ポストペイカード９が入場処理に対して利用されたか又は出場処理に対して利用されたかを示す。
【００４２】
たとえば、図４が示す利用履歴は、ＩＤｉ「３００ｘｘｘｘｘｘ」を持つポストペイカード９が横浜駅の改札口「１」で２０１４年６月１４日に入場処理に利用されたことを示す。
【００４３】
なお、利用履歴、又は、一件明細情報は、特定の構成に限定されるものではない。
【００４４】
次に、ＣＰＵ２１が実現する機能について説明する。  
ＣＰＵ２１は、通信部２５を通じて、運賃提供サーバ３から、ポストペイカード９のＩＤｉに対応する利用履歴を要求するリクエスト（履歴リクエスト）を受信する機能を有する（請求項７の第１受信処理部に対応）。
【００４５】
また、ＣＰＵ２１は、リクエストが要求する利用履歴を、記憶領域２４ａから検索する機能を有する（検索部に対応）。即ち、ＣＰＵ２１は、リクエストが含むＩＤｉに対応する利用履歴を検索する。
【００４６】
また、ＣＰＵ２１は、通信部２５を通じて、検索された利用履歴を含むレスポンス（履歴レスポンス）を運賃提供サーバ３へ送信する機能を有する（請求項７の第１受信処理部に対応）。
【００４７】
次に、運賃提供サーバ３について説明する。  
図５は、運賃提供サーバ３の構成例を示す。  
図５が示すように、運賃提供サーバ３は、ＣＰＵ３１、ＲＯＭ３２、ＲＡＭ３３、ＮＶＭ３４、及び、通信部３５などを備える。
【００４８】
ＣＰＵ３１は、運賃提供サーバ３全体の動作を制御する機能を有する。ＣＰＵ３１の個構成は、ＣＰＵ２１と同様である。
【００４９】
ＲＯＭ３２は、予め制御用のプログラム及び制御データなどが記憶された不揮発性のメモリである。ＲＯＭ３２の構成は、ＲＯＭ２２の構成と同様である。
【００５０】
ＲＡＭ３３は、揮発性のメモリである。ＲＡＭ３３の構成は、ＲＡＭ２３と同様である。
【００５１】
ＮＶＭ３４は、データの書き込み及び書き換えが可能な不揮発性のメモリである。ＮＶＭ３４の構成は、ＮＶＭ２４と同様である。
【００５２】
通信部３５（請求項１の通信部、又は、請求項７の第２通信部に対応）は、データベース端末２、自動改札機５、券売機６、精算機７及び利用者端末８（外部装置）と、通信するためのインターフェースである。通信部３５は、インターネットなどの外部ネットワークを通じてデータベース端末２、自動改札機５、券売機６、精算機７及び利用者端末８と通信するインターフェースであってもよい。また、通信部３５は、運賃提供システム１の独自のネットワークを通じてデータベース端末２、自動改札機５、券売機６、精算機７及び利用者端末８と通信するインターフェースであってもよい。また、通信部３５は、データベース端末２、自動改札機５、券売機６、精算機７及び利用者端末８のそれぞれと通信するためのインターフェースをそれぞれ備えてもよい。
【００５３】
次に、ＣＰＵ３１が実現する機能について説明する。  
ＣＰＵ３１は、利用履歴照会システム１１を実現する。即ち、ＣＰＵ３１は、通信部３５を通じて、自動改札機５、券売機６、精算機７又は利用者端末８からポストペイカード９のＩＤｉに対応する運賃情報を要求するリクエスト（運賃リクエスト）を受信する（請求項１の第１受信処理部、又は、請求項７の第２受信処理部に対応）。ＣＰＵ３１は、通信部３５を通じて、受信されたＩＤｉに対応する利用履歴を要求するリクエスト（履歴リクエスト）をデータベース端末２へ送信する（請求項１の第１送信処理部、又は、請求項７の第２送信処理部に対応）。ＣＰＵ３１は、通信部３５を通じて、データベース端末２から、当該ＩＤｉに対応する利用履歴を含むレスポンス（履歴リクエスト）を受信する（請求項１の第２受信処理部、又は、請求項７の第３受信処理部に対応）。
【００５４】
また、ＣＰＵ３１は、運賃検索システム１２を実現する。即ち、ＣＰＵ３１は、データベース端末２から受信された利用履歴に基づいて、運賃情報を生成する（生成部に対応）。たとえば、ＮＶＭ３４は予め運賃情報を生成するための情報（たとえば、サービスの適用条件など）を格納し、ＣＰＵ３１は、当該情報に従って、運賃情報を生成する。
【００５５】
また、ＣＰＵ３１は、通信部３５を通じて、生成された運賃情報を含むレスポンス（運賃レスポンス）を、運賃リクエストを送信した外部装置へ送信する機能を有する（請求項１の第２送信処理部、又は、請求項７の第３送信処理部に対応）。
【００５６】
次に、自動改札機５について説明する。  
図６は、自動改札機５の構成例を示す。  
図６が示すように、自動改札機５は、ＣＰＵ５１、メモリ部５２、ドア機構５３、人間検知部５４、通信部５５、カードリーダライタ５６、振動検知センサ５７及び表示部５８などを備える。
【００５７】
ＣＰＵ５１は、自動改札機５全体の動作を制御する機能を有する。ＣＰＵ５１の構成は、ＣＰＵ３１と同様である。
【００５８】
メモリ部５２は、ＣＰＵ５１が各種の機能を実現するために必要なデータを格納する。メモリ部５２は、不揮発性メモリ、又は、揮発性メモリを格納してもよい。たとえば、メモリ部５２の不揮発性メモリは、自動改札機５のＯＳ又は制御プログラムなどを格納する。また、メモリ部５２の揮発性メモリは、ＣＰＵ５１の処理中のデータなどを一時的に格納する。
【００５９】
ドア機構５３は、自動改札機５を通過する人を制御するために設けられているドアである。ドア機構５３は、自動改札機５が形成する通路側に設けられる。ドア機構５３は、ＣＰＵ５１の制御に従って、通行不可と判定された利用者の通行を阻止する。
【００６０】
人間検知部５４は、自動改札機５の通路を通過する人を検知する。人間検知部５４は、たとえば、赤外線などを用いて人の通行を検知する。人間検知部５４は、人の通行を検知すると、人が通路内にいることをＣＰＵ５１に通知する。
【００６１】
通信部５５は、運賃提供サーバ３及び監視盤４と通信するためのインターフェースである。通信部５５は、インターネットなどの外部ネットワークを通じて運賃提供サーバ３及び監視盤４と通信するインターフェースであってもよい。また、通信部５５は、運賃提供システム１の独自のネットワークを通じて運賃提供サーバ３及び監視盤４と通信するインターフェースであってもよい。また、通信部５５は、運賃提供サーバ３と通信するためのインターフェースと、監視盤４と通信するためのインターフェースとを備えてもよい。
【００６２】
カードリーダライタ５６は、ポストペイカード９とデータを送受信するインターフェースである。カードリーダライタ５６は、ポストペイカード９に記録されている情報を読取る読取手段としての機能、及び、ポストペイカード９に情報を書込む書込手段としての機能などを有する。
【００６３】
振動検知センサ５７は、地震又は防犯のために自動改札機５に生じる振動を検知する。
【００６４】
表示部５８は、ＣＰＵ５１からの信号に基づいて、種々の情報を表示する。たとえば、表示部５８は、通行の可否、又は、運賃情報などを表示する。表示部５８は、たとえば、液晶パネルなどである。
【００６５】
次に、ＣＰＵ５１が実現する機能について説明する。  
ＣＰＵ５１は、カードリーダライタ５６を通じて、ポストペイカード９から読み取った情報に基づいて改札処理を行う機能を有する（判定部に対応）。即ち、ＣＰＵ５１は、ポストペイカード９から読み取った情報などに基づいて、通行の可否を判定する。ＣＰＵ５１は、通行の可否に基づいて、ドア機構５３を制御し、人の通行を制御する。
【００６６】
また、ＣＰＵ５１は、改札処理の度に、一件明細情報を生成する機能を有する。
【００６７】
また、ＣＰＵ５１は、通信部５５を通じて、一件明細情報をデータベース端末２へ送信する機能を有する。
【００６８】
また、ＣＰＵ５１は、通信部５５を通じて、運賃提供サーバ３に運賃情報を照会する機能を有する。即ち、ＣＰＵ５１は、通信部５５を通じて、ポストペイカード９から読み取ったＩＤｉに対応する運賃情報を要求するリクエストを運賃提供サーバ３へ送信する（請求項４の送信処理部に対応）。ＣＰＵ５１は、通信部５５を通じて、運賃提供サーバ３から、運賃情報を含むレスポンスを受信する（請求項４の受信処理部に対応）。
【００６９】
また、ＣＰＵ５１は、表示部５８に、受信された運賃情報を表示する機能を有する。
【００７０】
次に、券売機６について説明する。  
図７は、券売機６の構成例を示す。  
図７が示すように、券売機６は、ＣＰＵ６１、メモリ部６２、発券機構部６３、カードリーダライタ６４、通信部６５、表示部６６及び操作部６７などを備える。
【００７１】
ＣＰＵ６１は、券売機６全体の動作を制御する機能を有する。ＣＰＵ６１の構成は、ＣＰＵ３１と同様である。
【００７２】
メモリ部６２は、ＣＰＵ６１が各種の機能を実現するために必要なデータを格納する。メモリ部６２の構成は、メモリ部５２と同様である。
【００７３】
発券機構部６３は、定期券又は磁気券などの乗車券を発行処理するものである。たとえば、発券機構部６３は、券売機６内に予め用意されている初期状態の磁気券に定期券情報を記録した磁気定期券を記録することにより定期券（或いは、定期券以外の磁気券）を発券したり、予め用意されている初期状態のＩＣカードに定期券情報あるいはＳＦ乗車情報などを記録することによりＩＣ定期券を発券したりする。
【００７４】
カードリーダライタ６４は、ポストペイカード９とデータを送受信するインターフェースである。カードリーダライタ６４は、ポストペイカード９に記録されている情報を読取る読取手段としての機能、及び、ポストペイカード９に情報を書込む書込手段としての機能などを有する。カードリーダライタ６４は、券売機６の内部に設置され、券売機６に挿入されたポストペイカード９とデータを送受信してもよい。
【００７５】
通信部６５は、運賃提供サーバ３と通信するためのインターフェースである。通信部６５は、インターネットなどの外部ネットワークを通じて運賃提供サーバ３と通信するインターフェースであってもよい。また、通信部６５は、運賃提供システム１の独自のネットワークを通じて運賃提供サーバ３と通信するインターフェースであってもよい。
【００７６】
表示部６６は、ＣＰＵ６１からの信号に基づいて、種々の情報を表示する。たとえば、表示部６６は、購入可能な乗車券、料金、又は、運賃情報などを表示する。表示部６６は、たとえば、液晶パネルなどである。
【００７７】
操作部６７は、券売機６の利用者が入力する操作を受け付ける。操作部６７は、受け付けた操作を電気信号などに変換しＣＰＵ６１へ送信する。操作部６７は、たとえば、キーボード、テンキー、又は、タッチパネルなどである。なお、操作部６７がタッチパネルである場合、操作部６７は、表示部６６と一体的に形成されてもよい。
【００７８】
次に、ＣＰＵ６１が実現する機能について説明する。  
ＣＰＵ６１は、発券機構部６３を用いて、乗車券の発券処理を行う機能を有する（発券部に対応）。たとえば、ＣＰＵ６１は、カードリーダライタ６４がポストペイカード９から読み取った情報、及び、操作部６７を通じて入力された操作などに基づいて、乗車券を発行する。
【００７９】
また、ＣＰＵ６１は、通信部６５を通じて、運賃提供サーバ３に運賃情報を照会する機能を有する。即ち、ＣＰＵ６１は、通信部６５を通じて、ポストペイカード９から読み取ったＩＤｉに対応する運賃情報を要求するリクエストを運賃提供サーバ３へ送信する（請求項５の送信処理部に対応）。ＣＰＵ６１は、通信部６５を通じて、運賃提供サーバ３から、運賃情報を含むレスポンスを受信する（請求項５の受信処理部に対応）。
【００８０】
また、ＣＰＵ６１は、表示部６６に、受信された運賃情報を表示する機能を有する。
【００８１】
次に、精算機７について説明する。  
図８は、精算機７の構成例を示す。  
図８が示すように、精算機７は、ＣＰＵ７１、メモリ部７２、磁気券処理部７３、カードリーダライタ７４、通信部７５、表示部７６及び操作部７７などを備える。
【００８２】
ＣＰＵ７１は、精算機７全体の動作を制御する機能を有する。ＣＰＵ７１の構成は、ＣＰＵ３１と同様である。
【００８３】
メモリ部７２は、ＣＰＵ７１が各種の機能を実現するために必要なデータを格納する。メモリ部７２の構成は、メモリ部５２と同様である。
【００８４】
磁気券処理部７３は、磁気情報を記憶する記録媒体を用いた乗車券などの磁気券に記録されている磁気情報を読み取ったり、磁気券に磁気情報を書込んだりする。
【００８５】
カードリーダライタ７４は、ポストペイカード９とデータを送受信するインターフェースである。カードリーダライタ７４の構成は、カードリーダライタ６４と同様である。
【００８６】
通信部７５は、運賃提供サーバ３と通信するためのインターフェースである。通信部７５の構成は、通信部６５と同様である。
【００８７】
表示部７６は、ＣＰＵ７１からの信号に基づいて、種々の情報を表示する。たとえば、表示部７６は、精算に必要な料金、又は、運賃情報などを表示する。表示部７６は、たとえば、液晶パネルなどである。
【００８８】
操作部７７は、券売機６の利用者が入力する操作を受け付ける。操作部７７の構成は、操作部６７と同様である。
【００８９】
次に、ＣＰＵ７１が実現する機能について説明する。  
ＣＰＵ７１は、磁気券などの乗車券の精算処理を行う機能を有する（精算部に対応）。たとえば、ＣＰＵ７１は、磁気券処理部７３が磁気券から読み取った情報、カードリーダライタ６４がポストペイカード９から読み取った情報、及び、操作部６７を通じて入力された操作などに基づいて、精算処理を行う。
【００９０】
また、ＣＰＵ７１は、通信部７５を通じて、運賃提供サーバ３に運賃情報を照会する機能を有する。即ち、ＣＰＵ７１は、通信部７５を通じて、ポストペイカード９から読み取ったＩＤｉに対応する運賃情報を取得するリクエストを運賃提供サーバ３へ送信する（請求項６の送信処理部に対応）。ＣＰＵ７１は、通信部７５を通じて、運賃提供サーバ３から、運賃情報を含むレスポンスを受信する（請求項６の受信処理部に対応）。
【００９１】
また、ＣＰＵ７１は、表示部７６に、受信された運賃情報を表示する機能を有する。
【００９２】
次に、利用者端末８について説明する。  
利用者端末８は、パソコン、携帯電話、タブレット、又は、スマートフォンなどである。  
図９は、利用者端末８の構成例を示す。  
図９が示すように、利用者端末８は、ＣＰＵ８１、ＲＯＭ８２、ＲＡＭ８３、ＮＶＭ８４、通信部８５、表示部８６、及び、操作部８７などを備える。
【００９３】
ＣＰＵ８１は、利用者端末８全体の動作を制御する機能を有する。ＣＰＵ８１の構成は、ＣＰＵ２１と同様である。
【００９４】
ＲＯＭ８２は、予め制御用のプログラム及び制御データなどが記憶された不揮発性のメモリである。ＲＯＭ８２の構成は、ＲＯＭ２２と同様である。
【００９５】
ＲＡＭ８３は、揮発性のメモリである。ＲＡＭ８３の構成は、ＲＡＭ２３と同様である。
【００９６】
ＮＶＭ８４は、データの書き込み及び書き換えが可能な不揮発性のメモリである。ＮＶＭ８４の構成は、ＮＶＭ２４と同様である。
【００９７】
通信部８５は、運賃提供サーバ３と通信するためのインターフェースである。通信部８５がインターネットなどの外部ネットワークを通じて運賃提供サーバ３と通信する場合、通信部８５は、たとえば、３Ｇ又は４Ｇ通信などのデータ通信をサポートするインターフェースである。また、通信部８５が内部ネットワークを通じて運賃提供サーバ３と通信する場合、通信部８５は、たとえば、ｗｉｆｉ通信などのデータ通信をサポートするインターフェースである。
【００９８】
表示部８６は、ＣＰＵ８１からの信号に基づいて、種々の情報を表示する。たとえば、表示部８６は、運賃情報などを表示する。表示部８６は、たとえば、液晶パネルなどである。
【００９９】
操作部８７は、利用者端末８の利用者が入力する操作を受け付ける。操作部８７の構成は、操作部６７と同様である。
【０１００】
次に、ＣＰＵ８１が実現する機能について説明する。  
ＣＰＵ８１は、利用者が所持するポストペイカード９のＩＤｉを取得する機能を有する。たとえば、ＣＰＵ８１は、操作部８７を通じてポストペイカード９のＩＤｉの入力を受け付ける。また、ＣＰＵ８１は、通信部８５などを通じて外部装置からポストペイカード９のＩＤｉを取得してもよい。
【０１０１】
また、ＣＰＵ８１は、通信部８５を通じて、運賃提供サーバ３に運賃情報を照会する機能を有する。即ち、ＣＰＵ８１は、通信部８５を通じて、ポストペイカード９から読み取ったＩＤｉに対応する運賃情報を取得するリクエストを運賃提供サーバ３へ送信する。ＣＰＵ８１は、通信部８５を通じて、運賃提供サーバ３から、運賃情報を含むレスポンスを受信する。
【０１０２】
また、ＣＰＵ８１は、表示部８６に、受信された運賃情報を表示する機能を有する。
【０１０３】
次に、運賃提供サーバ３の動作例について説明する。  
図１０は、運賃提供サーバ３の動作例を説明するためのフローチャートである。  
ここでは、データベース端末２のＮＶＭ２４の記憶領域２４ａは、必要な利用履歴を格納しているものとする。
【０１０４】
運賃提供サーバ３のＣＰＵ３１は、通信部３５を通じて、運賃情報要求装置（たとえば、自動改札機５、券売機６、精算機７又は利用者端末８）から運賃情報を要求するリクエストを受信したか判定する（ステップＳ１１）。リクエストを受信していないと判定すると（ステップＳ１１、ＮＯ）、ＣＰＵ３１は、ステップＳ１１へ戻る。
【０１０５】
リクエストを受信したと判定すると（ステップＳ１１、ＹＥＳ）、ＣＰＵ３１は、リクエストからポストペイカード９のＩＤｉを抽出する（ステップＳ１２）
ＩＤｉを抽出すると、ＣＰＵ３１は、通信部３５を通じて、抽出されたＩＤｉに対応する利用履歴を要求するリクエストをデータベース端末２へ送信する（ステップＳ１３）。
【０１０６】
ここで、データベース端末２は、リクエストに従って、ＩＤｉに対応する利用履歴を運賃提供サーバ３へ送信する。  
運賃提供サーバ３のＣＰＵ３１は、通信部３５を通じて、ＩＤｉに対応する利用履歴を受信する（ステップＳ１４）。
【０１０７】
利用履歴を受信すると、ＣＰＵ３１は、受信された利用履歴に基づいて、運賃情報を生成する（ステップＳ１５）。
【０１０８】
運賃情報を生成すると、ＣＰＵ３１は、通信部３５を通じて、生成された運賃情報を運賃情報要求装置へ送信する（ステップＳ１６）。
【０１０９】
運賃情報を送信すると、ＣＰＵ３１は、動作を終了する。
【０１１０】
なお、運賃提供サーバ３は、予め登録された利用者のメールアドレスなどに、定期的に利用者のＩＤｉに対応する運賃情報を送信してもよい。
【０１１１】
次に、自動改札機５の動作例について説明する。  
図１１は、自動改札機５の動作例を説明するためのフローチャートである。  
まず、ＣＰＵ５１は、カードリーダライタ５６を通じて、ポストペイカード９を検知したか判定する（ステップＳ２１）。たとえば、ＣＰＵ５１は、カードリーダライタ５６を通じて、ポーリング信号を送信する。ＣＰＵ５１は、ポーリング信号に対するレスポンスを検知することで、ポストペイカード９を検知する。
【０１１２】
ポストペイカード９を検知していないと判定すると（ステップＳ２１、ＮＯ）、ＣＰＵ５１は、ステップＳ２１へ戻る。
【０１１３】
ポストペイカード９を検知したと判定すると（ステップＳ２１、ＹＥＳ）、ＣＰＵ５１は、ポストペイカード９からＩＤｉを取得する（ステップＳ２２）（請求項４の取得部に対応）。たとえば、ＣＰＵ５１は、カードリーダライタ５６を通じて、ＩＤｉを取得するリードコマンドをポストペイカード９へ送信する。ＣＰＵ５１は、カードリーダライタ５６を通じて、ＩＤｉを含むレスポンスを受信する。
【０１１４】
ＩＤｉを取得すると、ＣＰＵ５１は、通信部５５を通じて、取得されたＩＤｉに対応する運賃情報を要求するリクエストを運賃提供サーバ３へ送信する（ステップＳ２３）。
【０１１５】
ここで、運賃提供サーバ３は、ステップＳ１１乃至１６を実行する。
【０１１６】
リクエストを送信すると、ＣＰＵ５１は、通信部５５を通じて、運賃情報を受信する（ステップＳ２４）。
【０１１７】
運賃情報を受信すると、ＣＰＵ５１は、表示部５８に運賃情報を表示する（ステップＳ２５）。
【０１１８】
運賃情報を表示すると、ＣＰＵ５１は、改札処理を行う（ステップＳ２６）。なお、ここで、ＣＰＵ５１は、一件明細情報を生成してもよい。ＣＰＵ５１は、通信部５５を通じて、生成された一件明細情報をデータベース端末２へ送信してもよい。
【０１１９】
改札処理を行うと、ＣＰＵ５１は、動作を終了する。
【０１２０】
なお、ＣＰＵ５１は、リクエストを送信する前に、改札処理を行ってもよい。
【０１２１】
次に、券売機６の動作例について説明する。  
図１２は、券売機６の動作例を説明するためのフローチャートである。  
ここでは、利用者は、ポストペイカード９を用いて乗車券を購入するものとする。
【０１２２】
まず、ＣＰＵ６１は、ポストペイカード９を検知したか判定する（ステップＳ３１）。たとえば、ＣＰＵ６１は、ポストペイカード９が券売機６内に挿入されたか判定する。また、ＣＰＵ６１は、カードリーダライタ６４を通じて、ポストペイカード９を検知してもよい。
【０１２３】
ポストペイカード９を検知していないと判定すると（ステップＳ３１、ＮＯ）、ＣＰＵ６１は、ステップＳ３１へ戻る。
【０１２４】
ポストペイカード９を検知したと判定すると（ステップＳ３１、ＹＥＳ）、ＣＰＵ６１は、ポストペイカード９からＩＤｉを取得する（ステップＳ３２）（請求項５の取得部に対応）。たとえば、ＣＰＵ６１は、カードリーダライタ６４を通じて、ＩＤｉを取得するリードコマンドをポストペイカード９へ送信する。ＣＰＵ６１は、カードリーダライタ６４を通じて、ＩＤｉを含むレスポンスを受信する。
【０１２５】
ＩＤｉを取得すると、ＣＰＵ６１は、通信部６５を通じて、取得されたＩＤｉに対応する運賃情報を要求するリクエストを運賃提供サーバ３へ送信する（ステップＳ３３）。
【０１２６】
ここで、運賃提供サーバ３は、ステップＳ１１乃至１６を実行する。
【０１２７】
リクエストを送信すると、ＣＰＵ６１は、通信部６５を通じて、運賃情報を受信する（ステップＳ３４）。
【０１２８】
運賃情報を受信すると、ＣＰＵ６１は、表示部６６に運賃情報を表示する（ステップＳ３５）。
【０１２９】
運賃情報を表示すると、ＣＰＵ６１は、発券処理を行う（ステップＳ３６）。たとえば、ＣＰＵ６１は、操作部６７に入力された操作に基づいて、発券処理を行う。
【０１３０】
発券処理を行うと、ＣＰＵ６１は、動作を終了する。
【０１３１】
次に、精算機７の動作例について説明する。  
図１３は、精算機７の動作例を説明するためのフローチャートである。  
ここでは、利用者は、ポストペイカード９を用いて乗車券を精算するものとする。
【０１３２】
まず、ＣＰＵ７１は、ポストペイカード９を検知したか判定する（ステップＳ４１）。たとえば、ＣＰＵ７１は、ポストペイカード９が精算機７内に挿入されたか判定する。また、ＣＰＵ７１は、カードリーダライタ７４を通じて、ポストペイカード９を検知してもよい。
【０１３３】
ポストペイカード９を検知していないと判定すると（ステップＳ４１、ＮＯ）、ＣＰＵ７１は、ステップＳ４１へ戻る。
【０１３４】
ポストペイカード９を検知したと判定すると（ステップＳ４１、ＹＥＳ）、ＣＰＵ７１は、ポストペイカード９からＩＤｉを取得する（ステップＳ４２）（請求項６の取得部に対応）。たとえば、ＣＰＵ７１は、カードリーダライタ７４を通じて、ＩＤｉを取得するリードコマンドをポストペイカード９へ送信する。ＣＰＵ７１は、カードリーダライタ７４を通じて、ＩＤｉを含むレスポンスを受信する。
【０１３５】
ＩＤｉを取得すると、ＣＰＵ７１は、通信部７５を通じて、取得されたＩＤｉに対応する運賃情報を要求するリクエストを運賃提供サーバ３へ送信する（ステップＳ４３）。
【０１３６】
ここで、運賃提供サーバ３は、ステップＳ１１乃至１６を実行する。
【０１３７】
リクエストを送信すると、ＣＰＵ７１は、通信部７５を通じて、運賃情報を受信する（ステップＳ４４）。
【０１３８】
運賃情報を受信すると、ＣＰＵ７１は、表示部７６に運賃情報を表示する（ステップＳ４５）。
【０１３９】
運賃情報を表示すると、ＣＰＵ７１は、精算処理を行う（ステップＳ４６）。たとえば、ＣＰＵ７１は、操作部７７に入力された操作と、カードリーダライタ７４がポストペイカード９から読み出した情報と、に基づいて、精算処理を行う。
【０１４０】
精算処理を行うと、ＣＰＵ７１は、動作を終了する。
【０１４１】
次に、利用者端末８の動作例について説明する。  
図１４は、利用者端末８の動作例を説明するためのフローチャートである。  
まず、ＣＰＵ８１は、利用者が所持するポストペイカード９のＩＤｉを取得する（ステップＳ５１）。たとえば、ＣＰＵ８１は、操作部８７を通じて、ＩＤｉの入力を受け付ける。また、ＣＰＵ８１は、通信部８５を通じて、外部装置からＩＤｉを受信してもよい。
【０１４２】
ＩＤｉを取得すると、ＣＰＵ８１は、通信部８５を通じて、ＩＤｉに対応する運賃情報を要求するリクエストを運賃提供サーバ３へ送信する（ステップＳ５２）。
【０１４３】
ここで、運賃提供サーバ３は、ステップＳ１１乃至１６を実行する。
【０１４４】
リクエストを送信すると、ＣＰＵ８１は、通信部８５を通じて、運賃情報を受信する（ステップＳ５３）。
【０１４５】
運賃情報を受信すると、ＣＰＵ８１は、表示部８６に運賃情報を表示する（ステップＳ５４）。
【０１４６】
運賃情報を表示すると、ＣＰＵ８１は、動作を終了する。
【０１４７】
以上のように構成される運賃提供システムは、自動改札機、券売機、精算機、又は、利用者端末において、利用者に対して運賃情報を提供することができる。その結果、利用者は、乗車料金に対してサービスが適用されるか、又は、今後どのような乗車に対してサービスが適用されるかを知ることができる。
【０１４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４９】
１…運賃提供システム、２…データベース端末、３…運賃提供サーバ、５…自動改札機、６…券売機、７…精算機、８…利用者端末、２１…ＣＰＵ、２４…ＮＶＭ、２４ａ…記憶領域、２５…通信部、３１…ＣＰＵ、３５…通信部、５１…ＣＰＵ、５５…通信部、５６…カードリーダライタ、５８…表示部、６１…ＣＰＵ、６４…カードリーダライタ、６５…通信部、６６…表示部、７１…ＣＰＵ、７４…カードリーダライタ、７５…通信部、７６…表示部、８１…ＣＰＵ、８５…通信部、８６…表示部。
【図１】
2016057711.tif 000003
【図２】
2016057711.tif 000004
【図３】
2016057711.tif 000005
【図４】
2016057711.tif 000006
【図５】
2016057711.tif 000007
【図６】
2016057711.tif 000008
【図７】
2016057711.tif 000009
【図８】
2016057711.tif 000010
【図９】
2016057711.tif 000011
【図１０】
2016057711.tif 000012
【図１１】
2016057711.tif 000013
【図１２】
2016057711.tif 000014
【図１３】
2016057711.tif 000015
【図１４】
2016057711.tif 000016